(57)【要約】【課題】  体組成に関する情報の変化を精度良くかつ簡便に管理することができる健康管理指針アドバイス方法、装置及びシステムを提供する。  【解決手段】  内臓脂肪計を例にすると、Ｘ線ＣＴにより基準値としての内臓脂肪面積を測定し、同時にウエスト径等も測定する（ステップ１）。測定された内臓脂肪面積を登録手段により内臓脂肪計に登録する（ステップ２）。測定されたウエスト径等を同様に登録する（ステップ３）。内臓脂肪面積とウエスト径等との相関を定義する（ステップ４）。身体データであるウエスト径等を入力する（ステップ５）。入力された身体データ情報と登録された身体データ情報から身体データの変化量を算出する（ステップ６）。算出した身体データの変化量から内臓脂肪面積の変化量を推定する（ステップ７）。ステップ７で推定された内臓脂肪面積の変化量を表示し（ステップ８）、処理を終了する。【選択図】  図２
2005118149.tif 000002
【特許請求の範囲】
【請求項１】
基準値である体組成に関する情報の測定値と、該体組成に関連する基準パラメータである身体データ情報とが登録されると、該基準値と基準パラメータとの相関を定義するステップと、
前記身体データ情報の測定値が入力されると、該入力された身体データ情報の前記基準パラメータからの変化量を算出し、前記定義された相関に基づいて体組成に関する情報の前記基準値からの変化量を推定するステップと、
前記推定した体組成に関する情報の基準値からの変化量を出力するステップと、
を有する健康管理指針アドバイス方法。
【請求項２】
前記基準値が既に登録されている場合には、身体データ情報の測定値が入力されると、既に登録された基準値に対して定義された該基準値と基準パラメータとの相関に基づいて、体組成に関する情報の基準値からの変化量を推定する請求項１に記載の健康管理指針アドバイス方法。
【請求項３】
前記登録される基準値は、複数の測定方法で測定された体組成に関する情報の測定値である請求項１に記載の健康管理指針アドバイス方法。
【請求項４】
前記基準値と基準パラメータとの相関を定義するステップは、前記基準パラメータの値から該身体データ情報の感度を決定するステップを含む請求項１に記載の健康管理指針アドバイス方法。
【請求項５】
前記推定された体組成に関する情報の基準値からの変化量が健康を損なう方向に変化したときはその旨を報知するステップを有する請求項１に記載の健康管理指針アドバイス方法。
【請求項６】
前記推定された体組成に関する情報の基準値からの変化量が健康を損なう方向に変化したときの報知は、入力された身体データ情報の測定値のすべてが健康を損なう方向に変化したときに行われる請求項４に記載の健康管理指針アドバイス方法。
【請求項７】
前記体組成に関する情報は内臓脂肪面積であり、前記身体データ情報はウエスト径、生体インピーダンス、体重、身長、年齢、性別のうち少なくともいずれか一つを含む請求項１に記載の健康管理指針アドバイス方法。
【請求項８】
基準値である体組成に関する情報の特定値と、前記体組成に関連する基準パラメータ情報を登録する手段と、
前記登録された基準値と基準パラメータとの相関を定義する手段と、
前記身体データ情報の測定値を入力する手段と、
前記入力された身体データ情報の前記基準パラメータからの変化量を算出し、前記定義された相関に基づいて体組成に関する情報の前記基準値からの変化量を推定する手段と、
前記推定した体組成に関する情報の基準値からの変化量を出力する手段と、
を備えた健康管理指針アドバイス装置。
【請求項９】
前記基準値が既に登録されている場合には、身体データ情報の測定値が入力されると、既に登録された基準値に対して定義された該基準値と基準パラメータとの相関に基づいて、体組成に関する情報の基準値からの変化量を推定する請求項８に記載の健康管理指針アドバイス装置。
【請求項１０】
前記登録される基準値は、複数の測定方法で測定された体組成に関する情報の測定値であ
る請求項８に記載の健康管理指針アドバイス装置。
【請求項１１】
前記基準値と基準パラメータとの相関を定義する手段は、前記基準パラメータの値から該身体データ情報の感度を決定する請求項８に記載の健康管理指針アドバイス装置。
【請求項１２】
前記推定された体組成に関する情報の基準値からの変化量が健康を損なう方向に変化したときは、その旨を報知する手段を備えた請求項８に記載の健康管理指針アドバイス装置。
【請求項１３】
前記推定された体組成に関する情報の基準値からの変化量が健康を損なう方向に変化したときの報知は、入力された身体データ情報の測定値のすべてが健康を損なう方向に変化したときに行われる請求項１２に記載の健康管理指針アドバイス装置。
【請求項１４】
前記体組成に関する情報は内臓脂肪面積であり、前記身体データ情報はウエスト径、生体インピーダンス、体重、身長、年齢、性別のうちの少なくともいずれか一つを含む請求項８に記載の健康管理指針アドバイス装置。
【請求項１５】
基準値が登録されてから、一定期間が経過すると基準値の再登録を促す内容を報知する機能を有する請求項８に記載の健康管理指針アドバイス装置。
【請求項１６】
推定された体組成変化量の変化幅が一定値以上になると、基準値の再登録を促す内容を報知する機能を有する請求項８に記載の健康管理指針アドバイス装置。
【請求項１７】
基準値である体組成に関する情報の測定値と、前記体組成に関連する基準パラメータである身体データ情報とが登録され、該基準値と基準パラメータとの相関が定義された手段と、
前記身体データ情報の測定値を入力する手段と、
前記入力された身体データ情報の前記基準パラメータからの変化量を算出し、前記定義された相関に基づいて体組成に関する情報の前記基準値からの変化量を推定する手段と、
前記推定した体組成に関する情報の基準値からの変化量を出力する手段と、
を備え、
前記身体データ情報の測定値を入力する手段及び前記推定した体組成に関する情報の基準値からの変化量を出力する手段とがネットワークを介して接続された健康管理指針アドバイスシステム。
【請求項１８】
前記登録される基準値は、基準値を測定すると同時に登録される請求項１７に記載の健康管理指針アドバイスシステム。
【請求項１９】
前記基準値が既に登録されている場合には、身体データ情報の測定値が伝送されると、既に登録された基準値に対して定義された該基準値と基準パラメータとの相関に基づいて、体組成に関する情報の基準値からの変化量を推定する請求項１７または１８に記載の健康管理指針アドバイスシステム。
【請求項２０】
前記推定された体組成に関する情報の基準値からの変化量が健康を損なう方向に変化したときはその旨を伝送する請求項１７に記載の健康管理指針アドバイスシステム。
【請求項２１】
前記推定された体組成に関する情報の基準値からの変化量が健康を損なう方向に変化したときの伝送は、入力された身体データ情報の測定値のすべてが健康を損なう方向に変化したときに行われる請求項２０に記載の健康管理指針アドバイスシステム。
【請求項２２】
前記基準値が登録されてから一定期間が経過すると基準値の再登録を促す内容を伝送する
請求項１７に記載の健康管理指針アドバイスシステム。
【請求項２３】
推定された体組成変化量の変化幅が一定値以上になると、基準値の再登録を促す内容を伝送する請求項１７に記載の健康管理指針アドバイスシステム。
【発明の詳細な説明】
【技術分野】
【０００１】
本発明は、内臓脂肪等の健康管理に有益な指針情報を提供する健康管理指針アドバイス方法並びにこの方法を実施するための装置及びシステムに関する。
【背景技術】
【０００２】
内臓脂肪を簡便に測定する技術は、例えば、特許文献１、特許文献２に開示されている。
【０００３】
一方、内臓脂肪を精度良く測定する方法として現在用いられている方法の一つにＸ線ＣＴによる方法がある。これは、Ｘ線ＣＴにより胴体を輪切りにして、内臓脂肪の面積を測定するものである。
【特許文献１】特開２００２−８５３６５号公報
【特許文献２】特開２００３−２４３０３号公報
【発明の開示】
【発明が解決しようとする課題】
【０００４】
しかしながら、上述した簡便に内臓脂肪を測定する方法では、推定や測定誤差が含まれるため、正しい値を測定することができない。また、本来内臓脂肪は一日程度の期間では変化しないが、インピーダンスが１日のうちでも変動するため、内臓脂肪に関する値が１日のうちで変動してしまう等の問題点もある。
【０００５】
一方、Ｘ線ＣＴによる方法では内臓脂肪面積を正確に値を測定することができるが、Ｘ線ＣＴは微弱ながら人体に対して悪影響を及ぼす可能性があるため、日々の健康管理の目的のためにＸ線ＣＴを用いて内臓脂肪面積を毎日測定するという形での利用ができない。また、Ｘ線ＣＴのための機器も高価であり、家庭で簡便に測定できるものではない。
【０００６】
本発明は、かかる従来技術の課題を解決するためになされたものであって、その目的は、体組成に関する情報の変化を精度良くかつ簡便に管理することができる健康管理指針アドバイス方法、装置及びシステムを提供することにある。
【課題を解決するための手段】
【０００７】
上記目的を達成するために、本発明は、基準値である体組成に関する情報の測定値と、該体組成に関連する基準パラメータである身体データ情報とが登録されると、該基準値と基準パラメータとの相関を定義するステップと、前記身体データ情報の測定値が入力されると、該入力された身体データ情報の前記基準パラメータからの変化量を算出し、前記定義された相関に基づいて体組成に関する情報の前記基準値からの変化量を推定するステップと、前記推定した体組成に関する情報の基準値からの変化量を出力するステップと、を有する健康管理指針アドバイス方法である。
【０００８】
前記基準値が既に登録されている場合には、身体データ情報の測定値が入力されると、既に登録された基準値に対して定義された該基準値と基準パラメータとの相関に基づいて、体組成に関する情報の基準値からの変化量を推定することが好適である。
【０００９】
前記登録される基準値は、複数の測定方法で測定された体組成に関する情報の測定値であることが好適である。
【００１０】
前記基準値と基準パラメータとの相関を定義するステップは、前記基準パラメータの値から該身体データ情報の感度を決定するステップを含むことが好適である。
【００１１】
前記推定された体組成に関する情報の基準値からの変化量が健康を損なう方向に変化したときはその旨を報知するステップを有することが好適である。
【００１２】
前記推定された体組成に関する情報の基準値からの変化量が健康を損なう方向に変化したときの報知は、入力された身体データ情報の測定値のすべてが健康を損なう方向に変化したときに行われることが好適である。
【００１３】
前記体組成に関する情報は内臓脂肪面積であり、前記身体データ情報はウエスト径、生体インピーダンス、体重、身長、年齢、性別のうち少なくともいずれか一つを含むことが好適である。
【００１４】
また、本発明は、基準値である体組成に関する情報の特定値と、前記体組成に関連する基準パラメータ情報を登録する手段と、前記登録された基準値と基準パラメータとの相関を定義する手段と、前記身体データ情報の測定値を入力する手段と、前記入力された身体データ情報の前記基準パラメータからの変化量を算出し、前記定義された相関に基づいて体組成に関する情報の前記基準値からの変化量を推定する手段と、前記推定した体組成に関する情報の基準値からの変化量を出力する手段と、を備えた健康管理指針アドバイス装置である。
【００１５】
前記基準値が既に登録されている場合には、身体データ情報の測定値が入力されると、既に登録された基準値に対して定義された該基準値と基準パラメータとの相関に基づいて、体組成に関する情報の基準値からの変化量を推定することが好適である。
【００１６】
前記登録される基準値は、複数の測定方法で測定された体組成に関する情報の測定値であることが好適である。
【００１７】
前記基準値と基準パラメータとの相関を定義する手段は、前記基準パラメータの値から該身体データ情報の感度を決定することが好適である。
【００１８】
前記推定された体組成に関する情報の基準値からの変化量が健康を損なう方向に変化したときは、その旨を報知する手段を備えることが好適である。
【００１９】
前記推定された体組成に関する情報の基準値からの変化量が健康を損なう方向に変化したときの報知は、入力された身体データ情報の測定値のすべてが健康を損なう方向に変化したときに行われることが好適である。
【００２０】
前記体組成に関する情報は内臓脂肪面積であり、前記身体データ情報はウエスト径、生体インピーダンス、体重、身長、年齢、性別のうちの少なくともいずれか一つを含むことが好適である。
【００２１】
基準値が登録されてから、一定期間が経過すると基準値の再登録を促す内容を報知する機能を有することが好適である。
【００２２】
推定された体組成変化量の変化幅が一定値以上になると、基準値の再登録を促す内容を報知する機能を有することが好適である。
【００２３】
また、本発明は、基準値である体組成に関する情報の測定値と、前記体組成に関連する
基準パラメータである身体データ情報とが登録され、該基準値と基準パラメータとの相関が定義された手段と、前記身体データ情報の測定値を入力する手段と、前記入力された身体データ情報の前記基準パラメータからの変化量を算出し、前記定義された相関に基づいて体組成に関する情報の前記基準値からの変化量を推定する手段と、前記推定した体組成に関する情報の基準値からの変化量を出力する手段と、を備え、前記身体データ情報の測定値を入力する手段及び前記推定した体組成に関する情報の基準値からの変化量を出力する手段とがネットワークを介して接続された健康管理指針アドバイスシステムである。
【００２４】
前記登録される基準値は、基準値を測定すると同時に登録されることが好適である。
【００２５】
前記基準値が既に登録されている場合には、身体データ情報の測定値が伝送されると、既に登録された基準値に対して定義された該基準値と基準パラメータとの相関に基づいて、体組成に関する情報の基準値からの変化量を推定することが好適である。
【００２６】
前記推定された体組成に関する情報の基準値からの変化量が健康を損なう方向に変化したときはその旨を伝送することが好適である。
【００２７】
前記推定された体組成に関する情報の基準値からの変化量が健康を損なう方向に変化したときの伝送は、入力された身体データ情報の測定値のすべてが健康を損なう方向に変化したときに行われることが好適である。
【００２８】
前記基準値が登録されてから一定期間が経過すると基準値の再登録を促す内容を伝送することが好適である。
【００２９】
推定された体組成変化量の変化幅が一定値以上になると、基準値の再登録を促す内容を伝送することが好適である。
【発明の効果】
【００３０】
本発明によれば、体組成に関する情報の変化を精度良くかつ簡便に管理することができる健康管理指針アドバイス方法、装置及びシステムを提供することができる。
【発明を実施するための最良の形態】
【００３１】
以下に本発明の実施形態について図面を参照して説明する。
【００３２】
（第１の実施形態）
本発明の実施形態に係る健康管理指針アドバイス装置は、日常の健康管理の一環として比較的容易に測定し得る身体データ情報を継続的に入力することにより、体組成に関する情報の変化についての精度の良い情報を提供するものである。
【００３３】
（健康管理指針アドバイス装置の概略構成）
図１に健康管理指針アドバイス装置１の概略構成を示す。
【００３４】
健康管理指針アドバイス装置１は、主として、制御部２、操作部３、測定部４、表示部５を備える。
【００３５】
制御部２は、ＣＰＵ、ＲＯＭ及びＲＡＭ等からなり、演算処理や装置各部の制御を行う。操作部３は、キーボード、ボタン、タッチパネル、スキャナ等のように、装置に対して操作指示を行う手段によって構成され、本実施形態では、基準値や基準パラメータの登録手段、測定値の入力手段として機能する。測定部４は、例えば電極のように測定対象に応じて構成され、本実施形態では、基準値や基準パラメータの登録手段、測定値の入力手段
として機能する。表示部５は、例えば、液晶、ＣＲＴ等のディスプレイによって構成され、本実施形態では体組成変化量の出力手段として機能する。
【００３６】
（内臓脂肪計の構成）
本実施形態に係る健康管理指針アドバイス装置は、例えば、内臓脂肪計として構成することができる。
【００３７】
本実施形態に係る内臓脂肪計においては、体組成に関する情報として内臓脂肪面積を採用し、基準値としてＸ線ＣＴにより測定された内臓脂肪面積を用いる。ここでは、基準値としてＸ線ＣＴによって測定される内臓脂肪面積を採用しているが、体重、年齢、身長等から推定される内臓脂肪面積や、腹部インピーダンスから算出される内臓脂肪面積を採用することもできる。但し、複数の測定方法によるデータを基準データとして用いる場合には、Ｘ線ＣＴによるデータと、推定や算出によって得られるデータとでは、精度に差があるので、加重平均を基準値として採用する、又は、推定等によるデータをＸ線ＣＴによるデータの予備データとして用いることにより、精度差を考慮することが望ましい。
【００３８】
本実施形態に係る内臓脂肪計においては、体組成に関連する基準パラメータである身体データ情報として、例えば、ウエスト径と腹部インピーダンス、ウエスト径と体重、腹部インピーダンスと体重を採用することができる。基準パラメータは、これら以外にも、例えば、体脂肪率、ＢＭＩ，年齢、身長、上腕のインピーダンス、下半身のインピーダンス、全身のインピーダンス等でも良い。基準パラメータは一つでも複数でも良いが、複数のパラメータを用いる方が精度上は好ましい。
【００３９】
ここで、基準値である内臓脂肪面積と、基準パラメータであるウエスト径、腹部インピーダンス、体重との関係を示す。
【００４０】
まず、内臓脂肪の面積は、
【００４１】
【数１】
2005118149.tif 000003
によって表され、そのうち、内臓脂肪面積変化量は、
【００４２】
【数２】
2005118149.tif 000004
と表される。
【００４３】
Ａ，Ｂ，Ｃ，Ｄの係数は、各基準パラメータの感度に相当し、Ｘ線ＣＴ撮影時（内臓脂肪面積の基準値の測定時）のウエスト径、腹部インピーダンス、体重の測定データから算出する。また、これらの係数は、基準値である内臓脂肪面積の更新時に同様に更新することが望ましい。
【００４４】
（健康管理指針アドバイス方法）
図２に示すフローチャートを参照して、第１の実施形態に係る健康管理指針アドバイス方法について説明する。
【００４５】
まず、基準値及び基準パラメータを測定する（ステップ１）。
【００４６】
次に、測定された基準値を登録する（ステップ２）。
【００４７】
次に、測定された基準パラメータを登録する（ステップ３）。
【００４８】
次に、基準値と基準パラメータとの相関を定義する（ステップ４）。
【００４９】
次に、身体データを入力する（ステップ５）。但し、基準値が既に登録されている場合には、測定を開始するとステップ５の身体データの入力から処理が開始される。
【００５０】
次に、身体データ変化量を算出する（ステップ６）。
【００５１】
次に、体組成変化量を推定する（ステップ７）。
【００５２】
推定された体組成変化量を表示部に表示し（ステップ８）、測定を終了する。
【００５３】
（内臓脂肪計における内臓脂肪面積変化量情報提供方法）
上述した健康管理指針アドバイス方法を、内臓脂肪計に即して説明すると、まず、Ｘ線ＣＴにより基準値としての内臓脂肪面積を測定し、Ｘ線ＣＴの撮影時にウエスト径、腹部インピーダンス、体重も測定する（ステップ１）。
【００５４】
次に、測定された内臓脂肪面積をボタン等の登録手段により内臓脂肪計に登録する（ステップ２）。
【００５５】
次に、測定されたウエスト径、腹部インピーダンス、体重を、同様に登録手段により内臓脂肪計に登録する（ステップ３）。
【００５６】
次に、内臓脂肪面積とウエスト径等との相関を定義する（ステップ４）。内臓脂肪面積とウエスト径との相関は、例えば、内臓脂肪計の内部に予め複数の相関のパターンを保持しておき、登録されたデータに基づいていずれかの相関のパターンを採用することにより定義することができる。このようにして、内臓脂肪面積とウエスト径等との相関が定義されると、（２）式における係数Ａ〜Ｄを決定することができる。
【００５７】
次に、身体データであるウエスト径、腹部インピーダンス、体重を入力する（ステップ５）。ここで、例えば、ウエスト径等の身体データは、１日１回のように継続的に入力する。ウエスト径等は、内臓脂肪計に設けられた測定部によって測定できるものでも良いし、他の装置で測定し、そのデータのみを入力するようにしても良い。
【００５８】
次に、入力された身体データ情報と登録された身体データ情報から身体データの変化量を算出する（ステップ６）。
【００５９】
次に、（２）式により、ステップ６で算出した身体データの変化量から内臓脂肪面積の変化量を推定する（ステップ７）。
【００６０】
次に、ステップ７で推定された内臓脂肪面積の変化量を表示部に表示し（ステップ８）、処理を終了する。変化量は、単に数値を表示するのみではなく、トレンドグラフにより日々の変化（所定間隔ごとの変化）を経時的に表示しても良い。図３に１年にわたる内臓脂肪面積の変化を経時的に記録したトレンドグラフを示す。このようなグラフを出力することにより、測定者は内臓脂肪の変化を自覚することができる。このようなトレンドグラフは、例えば、ダイエットに対するモチベーションの維持にも有益である。また、図３の
ようにＸ線ＣＴによる内臓脂肪面積の登録時（人間ドック受診時）を併せて表示するようにしてもよい。
【００６１】
このようにすれば、ユーザがウエスト径等の身体データ情報を測定して入力することにより、日々の内臓脂肪（面積）の変化のトレンドを認識することができ、内臓脂肪の管理を継続的に行うことができる。また、基準値がＸ線ＣＴにより測定されているので、計測誤差も少ない。
【００６２】
（第２の実施形態）
図４に示すフローチャートを参照して、第２の実施形態に係る健康管理指針アドバイス方法について説明する。この方法は、第１の実施形態と同様に構成された健康管理指針アドバイス装置によって実施できるので、健康管理指針アドバイス装置の装置構成についての説明は省略する。
【００６３】
第１の実施形態と同様の処理については、同様の符号を用いて説明を省略する。第２の実施形態では、ステップ８までは第１の実施形態と同様の処理を行っており、それ以降の処理のみが第１の実施形態と異なる。
【００６４】
ステップ８において、推定された体組成変化量を表示した後に、推定された体組成の変化が健康を損なう方向であるか否かを判断する（ステップ９）。ここで、体組成の変化が健康を損なう方向ではないと判断されると、測定を終了する。一方、体組成の変化が健康を損なう方向であると判断されると、体組成変化が健康を損なう方向であることを表示部に表示する等により報知して（ステップ１０）、測定を終了する。
【００６５】
この健康管理指針アドバイス方法を、内臓脂肪計に即して説明すると、内臓脂肪面積の変化量を表示部に表示した後に、内臓脂肪面積が増加する方向であるか否かを判断する（ステップ９）。内臓脂肪面積が増加する方向が健康を損なう方向であるから、内臓脂肪面積が変化していない、又は減少している場合には測定を終了する。一方、内臓脂肪面積が増加している場合には、その旨を表示部に表示し（ステップ１０）、測定を終了する。
【００６６】
ステップ９において、本実施形態のように、複数の基準パラメータを採用している場合には、腹部インピーダンスは減少しているにもかかわらず体重は増加している結果、内臓脂肪面積が増加する場合のように、内臓脂肪面積の増加が必ずしも健康を損なう方向ではないことがある。従って、基準パラメータとして採用した複数の身体データ情報のすべての変化が内臓脂肪面積の増加方向に変化している場合にのみ、ステップ１０の表示を行うようにしても良い。
【００６７】
このように内臓脂肪面積が増加する方向にある場合に報知すれば、測定者は内臓脂肪の増加を抑制し、又はさらなる増加を未然に防止することができる。
【００６８】
（第３の実施形態）
図５に示すフローチャートを参照して、第３の実施形態に係る健康管理指針アドバイス方法について説明する。この方法は、第１の実施形態と同様に構成された健康管理指針アドバイス装置によって実施できるので、健康管理指針アドバイス装置の装置構成についての説明は省略する。
【００６９】
第１の実施形態と同様の処理については、同様の符号を用いて説明を省略する。第３の実施形態では、ステップ８までは、第１の実施形態と同様の処理を行っており、基準値が既に登録されている場合の処理と、ステップ８以降の処理のみが第１の実施形態と異なる。
【００７０】
本実施形態では、基準値が既に登録されている場合に、基準値を測定後、一定期間経過しているか否かを判断する（ステップ１１）。基準値測定後、一定期間経過している場合には、基準値の再測定をうながす旨を表示部に表示等することにより報知し（ステップ１２）、ステップ５に進む。一方、基準値測定後、一定期間を経過していない場合には、ステップ５に進む。
【００７１】
この健康管理指針アドバイス方法を内臓脂肪計に即して説明すると、内臓脂肪面積の変化量を表示部に表示した後に、内装脂肪面積の基準値をＸ線ＣＴにより測定してから、例えば１年を経過しているか否かを判断する（ステップ１１）。Ｘ線ＣＴによる基準値測定から１年を経過している場合には、Ｘ線ＣＴの再検査の受診を促す表示を表示部に表示し（ステップ１２）、１年を経過していない場合には、ステップ５に進む。
【００７２】
また、ステップ８において推定された体組成の変化量を表示した後、体組成の変化量が一定値以上であるか否かを判断する（ステップ１３）。体組成の変化量が一定値以上でなければ、測定を終了する。一方、体組成の変化量が一定値以上であれば、基準値の再測定を促す旨を表示部に表示等することにより報知し（ステップ１４）、測定を終了する。
【００７３】
Ｘ線ＣＴによる内臓脂肪面積の測定を人間ドックの受信時に行っている場合であれば、人間ドックの再受診を促すことにもなり、継続的な健康管理に資する。
【００７４】
また、基準値、基準パラメータは、上述のものに限られない。例えば、基準値として病院等でＤＥＸＡ（２重エネルギーＸ線吸収法）や水中体重計により測定する体脂肪率（又は体脂肪量）、基準パラメータとして体重、ＢＭＩ等を採用しても良い。また、基準値として病院等でＭＲＩ等により測定する筋肉量、基準パラメータとして体重、ＢＭＩ等を採用しても良い。また、基準値として病院等で測定する超音波等により測定する皮下脂肪厚、基準パラメータとして体重、ＢＭＩ等を採用しても良い。
【００７５】
（第４の実施形態）
上述の実施形態では、健康管理指針アドバイス装置について説明したが、本発明に係る健康管理指針アドバイス方法は、通信ネットワークを介して接続される複数の装置を含むシステムによっても実施することができる。
【００７６】
図６に本発明の第４の実施形態に係る健康管理指針アドバイスシステム１１の概略構成を示す。
【００７７】
例えば、サーバ１２と、通信ネットワークＮＷを介してサーバ１２に接続されるパーソナルコンピュータやファクシミリのような端末装置１３を含むシステムに本発明を適用することができる。
【００７８】
インターネット上に本発明に係るサービスを提供するウエブサイトを設営するサーバ１２が設けられており、パーソナルコンピュータ１３を用いてこのサーバに接続する。ウエブサイトには、各ユーザからの基準値、基準パラメータの登録を受け付けるウエブページが設けられており、このウエブページにアクセスしたユーザが、パーソナルコンピュータ１３のキーボードを介して、基準値、基準パラメータを入力する。入力されたデータはサーバ１２に送信されて、当該ユーザと関連付けて所定の記憶装置（領域）に登録される。サーバ１２では、登録された基準値と基準パラメータとに基づいて、基準値と基準パラメータとの相関を定義し、所定の記憶装置（領域）に記憶する。
【００７９】
サーバ１２には、基準値と基準パラメータを登録したユーザの、身体データ情報の入力
を受け付けるウエブページが設けられており、このウエブページにアクセスしたユーザが、パーソナルコンピュータ１３のキーボードを介して、測定された身体データ情報を入力する。入力されたデータはネットワークを介してサーバ１２に送信され、当該ユーザと関連付けて所定の記憶装置（領域）に記憶される。ここで、サーバ１２は、登録されている当該ユーザの基準値、基準パラメータ及び定義された相関を記憶装置（領域）から読み出し、これらのデータと入力された身体データ情報とに基づいて、体組成に関する情報の基準値からの変化量を推定する。
【００８０】
サーバ１２では、推定された体組成に関する情報の変化量の情報を含む画面を生成し、これをユーザのパーソナルコンピュータ１３にネットワークを介して送信し、ディスプレイ１３０に表示させる。同様に、基準値が登録されてから一定期間が経過している場合には、基準値の再登録を促す内容の画面を生成し、推定された体組成に関する情報の変化量の変化幅が一定値以上になると基準値の再登録を促す内容の画面を生成し、これをユーザのパーソナルコンピュータ１３にネットワークを介して送信し、ディスプレイ１３０に表示させる。但し、基準値の再登録を促す情報については、電子メールでユーザのアドレスに送信しても良い。
【００８１】
上述の実施形態では、測定器が別に設けられており、この測定器で測定されたデータをパーソナルコンピュータ１３に入力する場合について説明したが、インターフェースを介して、測定器１４をパーソナルコンピュータ１３に接続しておき、測定器１４からパーソナルコンピュータ１３への身体データ情報を送信し、受信した身体データ情報をパーソナルコンピュータ１３がサーバ１２に送信するようにすることもできる。また、このような測定器とパーソナルコンピュータ１３との機能を有し、ネットワークに接続可能な健康管理指針アドバイス装置であっても良い。
【００８２】
また、基準値、基準パラメータ及び身体データ情報を所定の用紙に記入し、パーソナルコンピュータ１３に接続されたスキャナでこの用紙を読み取り、読み取られたデータをサーバ１２に送信するようにしても良い。サーバ１２から送信された体組成に関する情報の基準値からの変化量等の情報を、パーソナルコンピュータ１３に接続されたプリンタから出力するようにしても良い。
【００８３】
また、基準値、基準パラメータ及び身体データ情報を所定の用紙に記入し、データをファクシミリ１３に読み込ませて送信するとともに、推定された体組成に関する情報の基準値からの変化量等の情報をファクシミリ１３で受信して出力するようにしても良い。
【００８４】
ここでは、パーソナルコンピュータ（又はこれに接続されたキーボード、スキャナ、測定器）及びファクシミリ１３が、基準値である体組成に関する情報の測定値と、体組成に関連する基準パラメータである身体データ情報を登録する手段、身体データ情報の測定値を入力する手段に相当する。また、パーソナルコンピュータ（又はこれに接続されたディスプレイ、プリンタ）及びファクシミリ１３が、推定した体組成に関する情報の基準値からの変化量を出力する手段、推定された体組成に関する情報の基準値からの変化量が健康を損なう方向に変化したときに、その旨を報知する手段、基準値が登録されてから一定期間が経過すると基準値の再登録を促す内容を報知する手段、推定された体組成変化量の変化幅が一定値以上になると基準値の再登録を促す内容を報知する手段に相当する。また、サーバ１２が、登録された基準値と基準パラメータとの相関を定義する手段、入力された身体データ情報の基準パラメータからの変化量を算出し、定義された相関に基づいて体組成に関する情報の基準値からの変化量を推定する手段に相当する。
【図面の簡単な説明】
【００８５】
【図１】図１は本発明の実施形態に係る健康管理指針アドバイス装置の概略構成を示すブロック図である。
【図２】図２は本発明の第１の実施形態に係る健康管理指針アドバイス方法を説明するフローチャートである。
【図３】図３は本発明の第１の実施形態に係る健康管理指針アドバイス装置により表示されるトレンドグラフの例を示す図である。
【図４】図４は本発明の第２の実施形態に係る健康管理指針アドバイス方法を説明するフローチャートである。
【図５】図５は本発明の第３の実施形態に係る健康管理指針アドバイス方法を説明するフローチャートである。
【図６】図６は本発明の第４の実施形態に係る健康管理指針アドバイスシステムの概略構成を示すブロック図である。
【符号の説明】
【００８６】
１        健康管理指針アドバイス装置
２        制御部
３        操作部
４        測定部
５        表示部
１１      健康管理指針アドバイスシステム
１２      サーバ
１３      パーソナルコンピュータ／ファクシミリ
１３０    ディスプレイ／ファクシミリ
１４      測定器
ＮＷ      通信ネットワーク
【図１】
2005118149.tif 000005
【図２】
2005118149.tif 000006
【図３】
2005118149.tif 000007
【図４】
2005118149.tif 000008
【図５】
2005118149.tif 000009
【図６】
2005118149.tif 000010